(57)【要約】【課題】プログラム、ラベルイメージ作成方法、及びラベルイメージ作成装置において、それぞれがラベルに印刷される複数のラベルイメージを、ユーザがどのように作成されるのかを認識しながら容易に作成操作を行うことができるようにする。【解決手段】プログラムは、略同じ大きさの複数のラベルにそれぞれ印刷される複数のラベルイメージを作成するための作成画面を表示部に表示させる機能と、前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する機能（Ｓ７）と、をコンピュータに実現させる。【選択図】図４
2018005625.tif 000002
【特許請求の範囲】
【請求項１】
略同じ大きさの複数のラベルにそれぞれ印刷される複数のラベルイメージを作成するための作成画面を表示部に表示させる機能と、
前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する機能と、
をコンピュータに実現させることを特徴とするプログラム。
【請求項２】
前記パーツを複製する前記機能では、ユーザによって選択されたパーツに対応するパーツを有さないラベルイメージの対応する座標位置に、前記選択されたパーツを複製する、
ことを特徴とする請求項１記載のプログラム。
【請求項３】
前記選択されたパーツを複製する前記機能では、前記選択されたパーツである第１のパーツと共通の第１のラベルイメージに有される第２のパーツに対応するパーツを有する第２のラベルイメージにおいて、前記第１のパーツに対応するパーツを有さない第２のラベルイメージに対しては、当該第２のラベルイメージの対応する座標位置に、前記第１のパーツと前記第２のパーツとの前面への表示優先順位を、前記第２のパーツに対応するパーツとの間で再現するように、前記第１のパーツを複製する、
ことを特徴とする請求項２記載のプログラム。
【請求項４】
前記ユーザによって前記パーツが選択されていない状態で前記複製設定を受け付けた場合に前記ラベルイメージを複製する機能を前記コンピュータに更に実現させる、
ことを特徴とする請求項１から３のいずれか１項記載のプログラム。
【請求項５】
前記ユーザからの前記ラベルイメージの複製数の設定を受け付けた場合に、前記作成画面に表示される前記ラベルイメージの数が前記複製数に達しているか判定する機能を前記コンピュータに更に実現させ、
前記ラベルイメージを複製する前記機能では、前記作成画面に表示される前記ラベルイメージの数が前記複製数に達していないと判定されたときに、不足数の前記ラベルイメージに複製する、
ことを特徴とする請求項４記載のプログラム。
【請求項６】
略同じ大きさの複数のラベルにそれぞれ印刷される複数のラベルイメージを作成するための作成画面を表示部に表示させ、
前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する、
ことを特徴とするラベルイメージ作成方法。
【請求項７】
略同じ大きさの複数のラベルにそれぞれ印刷される複数のラベルイメージを作成するための作成画面を表示する表示部と、
前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する制御部と、
を備えることを特徴とするラベルイメージ作成装置。
【発明の詳細な説明】
【技術分野】
【０００１】
本発明は、ラベルに印刷されるラベルイメージを作成するための、プログラム、ラベルイメージ作成方法、及びラベルイメージ作成装置に関する。
【背景技術】
【０００２】
従来、長尺状の被印刷媒体に対し、任意の文字、絵、図形等からなるラベルイメージの印刷を行ってから長尺状の被印刷媒体を切断することでラベルを作成するラベルプリンタが知られている（例えば、特許文献１参照）。
【先行技術文献】
【特許文献】
【０００３】
【特許文献１】特開２０１１−１９７２２８号公報
【発明の概要】
【発明が解決しようとする課題】
【０００４】
図１４は、参考技術に係るラベルイメージ作成方法を説明するための説明図である。
図１４に示すように、複数のラベルイメージＬ１，Ｌ２，Ｌ３を作成する場合、ユーザの入力によりデータベースＤに設定された製品番号の情報（００１，００２，００３）及び管理者の情報（吉田，岡本，山田）が、ラベルイメージＬ１，Ｌ２，Ｌ３内の番号（製品番号）を表すパーツＰ１及び担当者（管理者）を表すパーツＰ２内に自動で挿入されることで、各ラベルイメージＬ１，Ｌ２，Ｌ３を自動で作成する手法が考えられる。
【０００５】
上記の手法は、複数のラベルイメージＬ１，Ｌ２，Ｌ３を１つずつ作成する手間が省ける反面、ユーザは、ラベルイメージＬ１，Ｌ２，Ｌ３に挿入される情報を、図１４に示すようなデータベースＤを表す表において１つずつ入力しなければならない。そのため、操作が複雑になり、どのように操作すればよいのか非常にわかりづらいという問題がある。
【０００６】
更には、ユーザは、入力された情報がラベルイメージＬ１，Ｌ２，Ｌ３のどの部分に挿入されるのかを認識しづらく、また、ラベルイメージＬ１，Ｌ２，Ｌ３がどのように作成されるのかを認識しづらいという問題がある。
【０００７】
本発明の目的は、それぞれがラベルに印刷される複数のラベルイメージを、ユーザがどのように作成されるのかを認識しながら容易に作成操作を行うことができる、プログラム、ラベルイメージ作成方法、及びラベルイメージ作成装置を提供することである。
【課題を解決するための手段】
【０００８】
１つの態様では、プログラムは、略同じ大きさの複数のラベルにそれぞれ印刷される複数のラベルイメージを作成するための作成画面を表示部に表示させる機能と、前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する機能と、をコンピュータに実現させる。
【０００９】
別の１つの態様では、ラベルイメージ作成方法は、略同じ大きさの複数のラベルにそれぞれ印刷される複数のラベルイメージを作成するための作成画面を表示部に表示させ、前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する。
【００１０】
別の１つの態様では、ラベルイメージ作成装置は、略同じ大きさの複数のラベルにそれぞれ印刷される複数のラベルイメージを作成するための作成画面を表示する表示部と、前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する制御部と、を備える。
【発明の効果】
【００１１】
本発明によれば、それぞれがラベルに印刷される複数のラベルイメージを、ユーザがどのように作成されるのかを認識しながら容易に作成操作を行うことができる。
【図面の簡単な説明】
【００１２】
【図１】実施の形態に係るラベルイメージ作成装置を説明するための説明図である。
【図２】実施の形態における印刷装置を示す斜視図である。
【図３】実施の形態における印刷装置の制御ブロック図である。
【図４】実施の形態に係るラベルイメージ作成方法を説明するためのフローチャートである。
【図５】実施の形態におけるラベルイメージ作成画面を説明するための説明図である。
【図６】実施の形態におけるラベルイメージの複製を説明するための第１の例の説明図（その１）である。
【図７】実施の形態におけるラベルイメージの複製を説明するための第１の例の説明図（その２）である。
【図８】実施の形態におけるラベルイメージの複製を説明するための第１の例の説明図（その３）である。
【図９】実施の形態におけるラベルイメージの複製を説明するための第１の例の説明図（その４）である。
【図１０】実施の形態におけるラベルイメージのパーツの複製を説明するための第２の例の説明図（その１）である。
【図１１】実施の形態におけるラベルイメージのパーツの複製を説明するための第２の例の説明図（その２）である。
【図１２】実施の形態におけるラベルイメージのパーツの複製を説明するための第３の例の説明図（その１）である。
【図１３】実施の形態におけるラベルイメージのパーツの複製を説明するための第３の例の説明図（その２）である。
【図１４】参考技術に係るラベルイメージ作成方法を説明するための説明図である。
【発明を実施するための形態】
【００１３】
以下、本発明の実施の形態に係る、プログラム、ラベルイメージ作成方法、及びラベルイメージ作成装置について、図面を参照しながら説明する。
図１は、実施の形態に係るラベルイメージ作成装置１を説明するための説明図である。
【００１４】
ラベルイメージ作成装置１は、制御部の一例であるＣＰＵ（Central Processing Unit）２と、記憶部３と、入力部４と、表示部５と、インターフェース部６と、記録媒体駆動部７と、を備える。これらの構成要素は、バスライン８を介して接続されており、各種のデータを互いに授受する。なお、ラベルイメージ作成装置１としては、制御部（ＣＰＵ２）と表示部５とを備えるコンピュータを用いることができる。このコンピュータは、例えば、パーソナルコンピュータのほか、スマートフォン、タブレットといった携帯型端末であってもよく、特に制限されない。
【００１５】
ＣＰＵ２は、ラベルイメージ作成装置１全体の動作を制御する演算処理装置である。ＣＰＵ１１は、ラベルイメージ作成用のプログラムなどの制御プログラムを読み出して実行する。
【００１６】
記憶部３は、ＲＯＭ（Read Only Memory）、ＲＡＭ（Random Access Memory）、ハードディスクなどを含む。
ＲＯＭは、所定の基本制御プログラムが予め記録されている読み出し専用半導体メモリである。なお、ＲＯＭとして、フラッシュメモリ等の、電力供給の停止に対して記憶データが不揮発性であるメモリを使用してもよい。
【００１７】
ＲＡＭは、ＣＰＵ２が各種の制御プログラムを実行する際に、必要に応じて作業用記憶領域として使用される随時書き込み読み出し可能な半導体メモリである。
ハードディスクは、ＣＰＵ２によって実行される各種の制御プログラムや各種のデータを記憶する。
【００１８】
入力部４は、例えばキーボード装置やマウス装置であり、ラベルイメージ作成装置１のユーザにより操作されると、その操作内容に対応付けられているユーザからの各種の入力情報を取得し、取得した入力情報をＣＰＵ２に送る。
【００１９】
表示部５は、例えばディスプレイであり、略同じ大きさの複数のラベルにそれぞれ印刷される複数のラベルイメージを作成するための後述するラベルイメージ作成画面５０を表示する。なお、表示部５がタッチパネルである場合には、表示部５が入力部４を兼ねることになる。
【００２０】
インターフェース部６は、各種機器との間での各種情報の授受の管理を行う。インターフェース部６は、例えば、有線又は無線で接続された印刷装置１００に対して、任意の文字、絵、図形等からなるパーツを１つ以上有するラベルイメージ（印刷データ）を送信する。なお、ラベルイメージ作成装置１及び印刷装置１００を備えるシステムを、ラベル作成システムと捉えることができる。
【００２１】
記録媒体駆動部７は、可搬型記録媒体９に記録されている各種の制御プログラムやデータの読み出しを行う装置である。ＣＰＵ２は、可搬型記録媒９に記録されている所定のプログラムを、記録媒体駆動部７を介して読み出して実行することによって、ラベルイメージ作成の各処理を行うようにすることができる。
【００２２】
なお、可搬型記録媒体９としては、例えばＣＤ−ＲＯＭ（Compact Disc Read Only Memory）、ＤＶＤ−ＲＯＭ（Digital Versatile Disc Read Only Memory）、ＵＳＢ規格のコネクタが備えられているフラッシュメモリなどがある。
【００２３】
ＣＰＵ２や表示部５を備えるコンピュータをラベルイメージ作成装置１として動作させるためには、まず、各処理をＣＰＵ２に行わせるための制御プログラムが作成される。この作成された制御プログラムは、記憶部３のハードディスク装置又は可搬型記録媒体９に予め格納される。そして、ＣＰＵ２に所定の指示が与えられることで、制御プログラムが読み出されて実行される。これにより、ＣＰＵ２や表示部５を備えるコンピュータが、ラベルイメージ作成装置１として動作する。
【００２４】
図２は、本実施の形態における印刷装置１００を示す斜視図である。
図３は、印刷装置１００の制御ブロック図である。
図２に示すように、印刷装置１００は、装置筐体１０１と、入力部１０２と、表示部１０３と、開閉蓋１１７と、カセット収納部１１８と、を備える。
【００２５】
印刷装置１００は、ラベルイメージ作成装置１から受信したラベルイメージを長尺状の被印刷媒体Ｍに対し印刷することにより、ラベルを作成する。なお、印刷装置１００は、ラベルイメージ作成装置１からラベルイメージを受信部において受信可能であるため、入力部１０２や表示部１０３を有さない印刷装置であってもよい。
【００２６】
装置筐体１０１の上面には、入力部１０２、表示部１０３、及び開閉蓋１１８が配置されている。装置筐体１０１の右側面には、被印刷媒体Ｍの排出口１０１ａが形成されている。なお、図示しないが、装置筐体１０１には、ラベルイメージ作成装置１と有線で接続するための外部機器接続端子のほか、電源コード接続端子、記憶媒体挿入口等が設けられている。
【００２７】
入力部１０２は、ラベルイメージ作成装置１から受信するラベルイメージとは別にラベルイメージを作成する場合に、文字、絵、図形等が入力される入力キーを備える。また、入力部１０２は、印刷開始を指示する印刷キー、表示部１０３の表示画面上のカーソルを移動操作するカーソルキー、印刷モードの設定や各種設定処理を行う種々の制御キーなどのいずれか又は全部を備える。
【００２８】
表示部１０３は、例えば液晶表示パネルであり、入力部１０２からの入力に対応する文字、絵、図形等や、各種の設定のための選択メニューや、エラー時のユーザへの報知のための画面や、各種の処理に関するメッセージ等を表示する。
【００２９】
開閉蓋１１７は、カセット収納部１１８の上部において、カセット収納部１１８を開閉可能に配置されている。開閉蓋１１７は、ボタン１１７ａが押下されることにより開放する。また、開閉蓋１１７には、この開閉蓋１１７が閉じた状態でもカセット収納部１１８における図示しないテープカセットの有無を目視可能とするために、窓１１７ｂが形成されている。カセット収納部１１８には、被印刷媒体Ｍを収容するテープカセットが着脱自在に収納される。
【００３０】
図３は、印刷装置１００の制御ブロック図である。
図３に示すように、印刷装置１００は、入力部１０２、表示部１０３、制御部１０４、ＲＯＭ１０５、ＲＡＭ１０６、表示部駆動回路１０７、ヘッド駆動回路１０８、印刷部の一例である印字ヘッド１０９、搬送用モータ駆動回路１１０、搬送用モータ１１１、搬送ローラ１１２、カッターモータ駆動回路１１３、カッターモータ１１４、フルカット機構１１５、ハーフカット機構１１６、及びテープ幅検出スイッチ１１９を備える。
【００３１】
制御部１０４は、例えばマイクロプロセッサであって、ＲＯＭ１０５に予め記憶されているシステムプログラム、メモリカードに記憶された制御プログラム、外部機器から読み込まれた制御プログラム等を、入力部１０２からのキー操作信号に応じて又は自動で起動させ、ＲＡＭ１０６をワークメモリとして回路各部の動作を制御する。
【００３２】
制御部１０４には、入力部１０２と、ＲＯＭ１０５と、ＲＡＭ１０６と、表示部１０３を駆動する表示部駆動回路１０７と、印字ヘッド１０９を駆動するヘッド駆動回路１０８と、搬送ローラ１１２を回転させるための搬送用モータ１１１を駆動する搬送用モータ駆動回路１１０と、フルカット機構１１５及びハーフカット機構１１６を稼動させるためのカッターモータ１１４を駆動するカッターモータ駆動回路１１３と、テープ幅検出スイッチ１１９と、が接続されている。
【００３３】
ヘッド駆動回路１０８は、ラベルイメージ作成装置１により作成されＲＡＭ１０６に記憶されたラベルイメージ（印刷データ）に基づいて印字ヘッド１０９を制御する。印字ヘッド１０９は、この制御に応じて、搬送ローラ１１２の１つであるプラテンローラとの間においてインクリボンを用いた熱転写により被印刷媒体Ｍに所望のラベルイメージを印刷する。
【００３４】
搬送用モータ駆動回路１１０は、ＲＡＭ１０６に記憶されたラベルイメージに基づいて搬送用モータ１１１を制御することによって、搬送ローラ１１２を制御し、印字ヘッド１０９による被印刷媒体Ｍへの印刷中、所望の速度で当該被印刷媒体Ｍを搬送させる。
【００３５】
カッターモータ駆動回路１１３は、被印刷媒体Ｍの基材及びこの基材の粘着面に貼り付けられた剥離紙の両方をカットするフルカット機構１１５と、被印刷媒体Ｍの基材のみをカットするハーフカット機構１１６と、を稼働させるカッターモータ１１４の動作を制御する。
【００３６】
テープ幅検出スイッチ１１９は、カセット収納部１１８に設けられており、カセット収納部１１８に挿入されるテープカセットに形成された凹凸部の形状を検知することで、テープカセットの種類、つまり被印刷媒体Ｍのテープ幅を自動的に判別する。
【００３７】
なお、上述の印刷装置１００は、あくまで一例であって、本実施の形態における印刷装置としては、ラベルイメージ作成装置１から受信したラベルイメージを被印刷媒体Ｍに印刷することによりラベルを作成する装置であればよい。例えば、印刷部の一例である印字ヘッド１０９が、インクジェット方式などの他の印刷方式により被印刷媒体Ｍに印刷を行う印刷部であってもよい。
【００３８】
図４は、本実施の形態に係るラベルイメージ作成方法を説明するためのフローチャートである。
図５は、ラベルイメージ作成画面５０を説明するための説明図である。
【００３９】
図６〜図９は、ラベルイメージの複製を説明するための第１の例の説明図である。
図５に示すラベルイメージ作成画面５０は、図１に示すラベルイメージ作成装置１の表示部５に表示される作成画面の一例である。
【００４０】
ラベルイメージ作成画面５０は、メニューバー５１、ツールバー大５２、ツールバー小５３、イメージ表示領域５４、ラベル設定部５５、及び文字設定部５６を含む。
メニューバー５１は、ファイル、編集等の各メニューが押下されることで、各メニューに関連する機能一覧を表示する。
【００４１】
ツールバー大５２及びツールバー小５３には、それぞれアイコン大又はアイコン小が配列され、各アイコンが押下されることで操作に対応する処理をＣＰＵ２が実行する。ツールバー小５３の右端のアイコン小は、後述する複製設定を受け付けるための複製アイコン５３ａである。
【００４２】
イメージ表示領域５４の上端及び左端には、図６に示すように、ラベルイメージＬ１１の左上の角部を０とした目盛り５４ａがｍｍ単位で表されている。目盛り５４ａの縦軸は、ラベルイメージＬ１１のラベル幅（すなわち、図２に示す被印刷媒体Ｍのテープ幅）を表し、目盛り５４ａの横軸は、ラベルイメージＬ１１の長さを表す。
【００４３】
図６に示すようにイメージ表示領域５４に表示されているラベルイメージＬ１１は、「樫尾太郎」という文字からなるパーツＰ１１−１と、「管理番号（１）」（図６、図８、及び図９における丸数字）という文字からなるパーツＰ１１−２と、を有する。パーツＰ１１−１，Ｐ１１−２は、文字からなるパーツに限られず、絵、図形等からなるパーツであってもよい。なお、ラベルイメージＬ１１内の破線は印刷可能領域を表す。
【００４４】
また、イメージ表示領域５４には、図８及び図９に示すように、複数のラベルイメージＬ１１〜Ｌ１５が表示可能である。これらの複数のラベルイメージＬ１１〜Ｌ１５は、例えば、ユーザが図１に示す入力部４において印刷指示を入力すると、上述の印刷装置１００において連続的に被印刷媒体Ｍに印刷され、略同じ大きさの複数のラベルが連続的に作成される。なお、印刷装置１００においては、１枚目のラベルイメージＬ１１が例えば左端から右端に左右方向に印刷され、次に、２枚目以降のラベルイメージＬ１２〜Ｌ１５が順に左右方向に印刷される。
【００４５】
ラベル設定部５５では、作成されるラベル（ラベルイメージＬ１１〜Ｌ１５）の幅、長さ等の設定が行われる。
文字設定部５６では、ラベルイメージＬ１１〜Ｌ１５を構成する１つ以上のパーツＰ１１−１，Ｐ１１−２，・・・，Ｐ１５−２に含まれる文字のフォント、サイズ、向き等の設定が行われる。
【００４６】
図４に示すフローチャートの処理は、図５に示す複製アイコン５３ａが押下されることで開始する。
まず、複製アイコン５３ａが押下されることで図１に示すＣＰＵ２がユーザからの複製設定を受け付けると、ＣＰＵ２は、ユーザによって選択されているパーツＰ１１，Ｐ１２があるかを判定する（ステップＳ１）。なお、パーツの選択は、例えば、図１に示す入力部３のマウス装置を用いて所望のパーツＰ１１−１，Ｐ１１−２をクリックすることにより行われる。
【００４７】
図６に示すイメージ表示領域５４において、パーツＰ１１，Ｐ１２が選択されていないと判定されると（ステップＳ１：ＮＯ）、ＣＰＵ２は、ラベルイメージ作成画面５０上に図７に示すラベルイメージ複製ウインドウ５７を表示する。この複製ウインドウ５７において、ＣＰＵ２は、ユーザからラベルイメージＬ１１の複製数の設定を受け付ける（ステップＳ２）。
【００４８】
ラベルイメージ複製ウインドウ５７において、図７に示すようにユーザが複製数を５枚に設定すると、ＣＰＵ２は、ラベルイメージ作成画面５０（イメージ表示領域５４）に表示されるラベルイメージＬ１１の数が複製数である５枚に達しているか判定する（ステップＳ３）。
【００４９】
図６に示す第１の例では、ＣＰＵ２は、ラベルイメージＬ１１の数が１枚であるために複製数である５枚に達していないと判定し（ステップＳ３：ＮＯ）、図８に示すように、不足数である４枚のラベルイメージＬ１２〜Ｌ１５を作成する。この複製処理は特に制限されないが、例えば、不足数のラベル枠、すなわちパーツを有さないラベルイメージＬ１２〜Ｌ１５の枠のみを作成し（ステップＳ４）、その後、この枠に、ラベルイメージＬ１１のパーツＰ１１−１，Ｐ１１−２に対応するパーツ、例えばデータ内容が同一の「樫尾太郎」という文字からなるパーツＰ１２−１，Ｐ１３−１，Ｐ１４−１，Ｐ１５−１、及び、例えばデータ内容が同一の「管理番号（１）」という文字からなるパーツＰ１２−２，Ｐ１３−２，Ｐ１４−２，Ｐ１５−２を作成する（ステップＳ５）。
【００５０】
一方、ＣＰＵ２は、ラベルイメージの数が複製数に達していると判定した場合（ステップＳ３：ＹＥＳ）には、最上位に位置するラベルイメージＬ１１のパーツＰ１１−１，Ｐ１１−２に対応するパーツを他のラベルイメージが有していなければ、他のラベルイメージの対応する座標位置にパーツＰ１１−１，Ｐ１１−２を複製する（ステップＳ５）。ここで、「対応するパーツ」とは、例えば、データ内容（文字、絵、図形等）が同一のパーツ、データ内容が異なっていてもデータ内容の種類が共通するパーツ、データ内容が異なっていても同一位置（例えば、中心位置が一致する場合や、パーツの一部が互いに重複する場合など）にあるパーツ、データ内容が異なっていても大きさが同一のパーツなどが適宜設定されればよい。また、「データ内容の種類が共通するパーツ」とは、例えば、共通のフォーマットに基づき作成されたパーツや、文字、絵、図形等の種類（アルファベット、数字、漢字、平仮名、カタカナなど）が一致するパーツや、文字、絵、図形等のそれぞれの数が一致するパーツなどが挙げられる。また、「対応する座標位置」とは、各ラベルイメージにおける任意の基準位置（例えば左上の角部）との位置関係、或いは、他のパーツとの位置関係（例えば、他のパーツＰ２１−１〜Ｐ２５−１との間隔）などによって決定されればよい。
【００５１】
なお、図８に示す「管理番号（１）」という文字からなるパーツＰ１２−２，Ｐ１３−２，Ｐ１４−２，Ｐ１５−２については、ユーザが、イメージ表示領域５４においてマウス装置やキーボード装置を用いて２枚目以降に作成されたラベルイメージＬ１２〜Ｌ１５のそれぞれを、図９に示すように、「管理番号（２）」、「管理番号（３）」、「管理番号（４）」、又は「管理番号（５）」という文字からなるパーツＰ１２−２（Ｃ），Ｐ１３−２（Ｃ），Ｐ１４−２（Ｃ），Ｐ１５−２（Ｃ）に変更する操作を行うことができる。或いは、このような、「管理番号」という文字と何枚目のラベルイメージかの数字を表す丸で囲まれた丸数字とからなるパーツＰ１２−２（Ｃ），Ｐ１３−２（Ｃ），Ｐ１４−２（Ｃ），Ｐ１５−２（Ｃ）を、予め定められた設定（例えば、１枚目のラベルイメージに「１」という数字があれば、２枚目以降のラベルイメージには何枚目かを表す数字に変更する設定）に基づき、複製する際にラベルイメージＬ１１のパーツＰ１１−２に対応するパーツとして「管理番号（１）」という文字からなるパーツＰ１１−２に変更してもよい。
【００５２】
ラベルイメージＬ１１自体を複製する処理についてはステップＳ５までの処理で終了するが、ここで、図１０に示す５枚のラベルイメージＬ２１〜Ｌ２５が、「樫尾」、「上杉」、「田中」、「山本」、又は「神田」という文字からなるパーツＰ２１−１〜Ｐ２５−１を有し、ラベルイメージＬ２１のみが絵からなるパーツＰ２１−２を更に有する第２の例について考える。なお、５枚のラベルイメージＬ２１〜Ｌ２５は、同じ大きさであるが、長さが多少異なるなど、略同じ大きさであってもよい。
【００５３】
この第２の例では、上述の複製設定の受け付けと同一の複製アイコン５３ａが押下されることでＣＰＵ２がユーザからの複製設定を受け付けると、ＣＰＵ２は、パーツＰ２１−２がユーザにより選択されている場合（選択されたパーツＰ２１−２（Ｓ））、上述のパーツが選択されているかの判定処理（ステップＳ１）において、パーツＰ２１−２が選択されていると判定する（ステップＳ１：ＹＥＳ）。また、ＣＰＵ２は、ユーザによって選択されたパーツＰ２１−２（Ｓ）に対応するパーツを有さないラベルイメージＬ２２〜Ｌ２５を抽出（ピックアップ）する（ステップＳ６）。そして、ＣＰＵ２は、図１１に示すように、ユーザによって選択されたパーツＰ２１−２（Ｓ）に対応するパーツを有さないラベルイメージＬ２２〜Ｌ２５の対応する座標位置に、選択されたパーツＰ２１−２を複製することで、パーツＰ２２−２〜Ｐ２５−２を作成する（ステップＳ７）。
【００５４】
なお、複製により作成されるパーツＰ２２−２〜Ｐ２５−２は、選択されたパーツＰ２１−２とデータ内容、位置、及び大きさが同じであるが、上述の予め定められた設定に基づき、ラベルイメージＬ１１のパーツＰ１１−２を複製する際に、当該パーツＰ１１−２のデータ内容を変更してもよい。また、ラベルイメージＬ２１からはみ出ているパーツが複製される場合は、このパーツの中心がラベルイメージＬ２１内に含まれていれば、パーツの全体を複製すればよい。また、パーツが複数選択されている場合には、選択された複数のパーツを複製するとよい。
【００５５】
パーツＰ２１−２を複製する場合の処理についてはステップＳ７までの処理で終了するが、ここで、図１２に示す５枚のラベルイメージＬ３１〜Ｌ３５が、「ＡＢＣＤＥ」という文字からなるパーツＰ３１−１〜Ｐ３５−１を有し、ラベルイメージＬ３１のみが星形の図形からなるパーツＰ３１−２を更に有する第３の例について考える。
【００５６】
この第３の例においても、上述の第２の例と同様に、パーツＰ３１−２がユーザにより選択されている場合（選択されたパーツＰ３１−２（Ｓ））、パーツが選択されているかの判定処理（ステップＳ１）において、ＣＰＵ２は、パーツＰ３１−２が選択されていると判定し（ステップＳ１：ＹＥＳ）、このユーザによって選択されたパーツＰ３１−２に対応するパーツを有さないラベルイメージＬ３２〜Ｌ３５を抽出し（ステップＳ６）、図１３に示すように、ラベルイメージＬ３２〜Ｌ３５の対応する座標位置に、選択されたパーツＰ３１−２を複製することによりパーツＰ３２−２〜Ｐ３５−２を作成することになる（ステップＳ７）。
【００５７】
ここで、選択されたパーツＰ３１−２（Ｓ）である第１のパーツと共通のラベルイメージＬ３１（第１のラベルイメージ）に有される他のパーツＰ３１−１（第２のパーツ）とが少なくとも一部において重複するように位置する場合について考える。この場合、当該第２のパーツＰ３１−１に対応するパーツＰ３２−１〜Ｐ３５−１を有する第２のラベルイメージＬ３２〜Ｌ３５において、選択された第１のパーツＰ３１−２に対応するパーツを有さない第２のラベルイメージＬ３２〜Ｌ３５に対しては、選択された第１のパーツＰ３１−２の複製を行うときには、当該第２のラベルイメージＬ３２〜Ｌ３５の対応する座標位置に、選択された第１のパーツＰ３１−２（Ｓ）と第２のパーツＰ３１−１との前面への表示優先順位（ここでは、第２のパーツＰ３１−１が前面）を再現するとよい。すなわち、複製により作成される第１のパーツＰ３１−２に対応するパーツＰ３２−２〜Ｐ３５−２は、第２のパーツＰ３１−１に対応するパーツＰ３２−１〜Ｐ３５−１の背面に表示されるように作成される。
【００５８】
以上説明した本実施の形態では、プログラムは、略同じ大きさの複数のラベルにそれぞれ印刷される複数のラベルイメージＬ２１〜Ｌ２５を作成するための作成画面５０を表示部５に表示させる機能と、複数のラベルイメージＬ２１〜Ｌ２５のうちのいずれか１つのラベルイメージＬ２１を構成する少なくとも１つのパーツＰ２１−２が選択された状態で、ユーザからの複製設定を受け付けることで、複数のラベルイメージＬ２１〜Ｌ２５のうちの他の少なくとも１つのラベルイメージＬ２２〜Ｌ２５の対応する座標位置にパーツを複製する機能（ステップＳ７）と、をコンピュータ（ラベルイメージ作成装置１）に実現させる。
【００５９】
これにより、ユーザは、複製設定を行うことで、ラベルイメージＬ２１のパーツＰ２１−２を他のラベルイメージＬ２２〜Ｌ２５の対応する座標位置に複製することができるため、容易に複数のラベルイメージＬ２１〜Ｌ２５の作成操作を行うことができる。また、ユーザは、ラベルイメージ作成画面５０を見ながら操作を行うことができるため、ラベルイメージＬ２１〜Ｌ２５がどのように作成されるのかを認識しながら作成操作を行うことができる。
【００６０】
よって、本実施の形態によれば、それぞれがラベルに印刷される複数のラベルイメージＬ２１〜Ｌ２５を、ユーザがどのように作成されるのかを認識しながら容易に作成操作を行うことができる。
【００６１】
また、本実施の形態では、パーツＰ２１−２を複製する機能では、ユーザによって選択されたパーツＰ２１−２（Ｓ）に対応するパーツを有さないラベルイメージＬ２２〜Ｌ２５の対応する座標位置に、選択されたパーツＰ２１−２（Ｓ）を複製する（ステップＳ６，Ｓ７）。これにより、ユーザは、複数のラベルイメージＬ２１〜Ｌ２５の作成操作をより容易に行うことができる。
【００６２】
また、本実施の形態では、選択されたパーツＰ３１−２（Ｓ）を複製する上記機能では、選択されたパーツＰ３１−２（Ｓ）である第１のパーツと共通の第１のラベルイメージＬ３１に有される第２のパーツＰ３１−１に対応するパーツＰ３２−１，Ｐ３３−１，Ｐ３４−１，Ｐ３５−１を有する第２のラベルイメージＬ３２〜Ｌ３５において、第１パーツＰ３１−２に対応するパーツを有さない第２のラベルイメージＬ３２〜Ｌ３５に対しては、当該第２のラベルイメージＬ３２〜Ｌ３５の対応する座標位置に、第１のパーツＰ３１−２と第２のパーツＰ３１−１との前面への表示優先順位を、第２のパーツＰ３１−１に対応するパーツＰ３２−１，Ｐ３３−１，Ｐ３４−１，Ｐ３５−１との間で再現するように、第１のパーツＰ３１−２（Ｓ）を複製する。そのため、ユーザは、複数のラベルイメージＬ３１〜Ｌ３５の作成操作をより一層容易に行うことができる。
【００６３】
また、本実施の形態では、プログラムは、ユーザによってパーツが選択されていない状態で複製設定を受け付けた場合にラベルイメージＬ１１を複製する機能（ステップＳ１、Ｓ４，Ｓ５）をコンピュータに更に実現させる。これにより、パーツが選択されていない状態で、パーツを複製する場合と同一の複製設定の操作（例えば、複製アイコン５３ａの押下）を行うことで、パーツではなくラベルイメージＬ１１を複製することができるため、ユーザは、複数のラベルイメージＬ１１〜Ｌ１５の作成操作をより容易に行うことができる。
【００６４】
また、本実施の形態では、プログラムは、ユーザからのラベルイメージＬ１１の複製数の設定を受け付けた場合に、作成画面（ラベルイメージ作成画面５０）に表示されるラベルイメージＬ１１の数が複製数に達しているか判定する機能（ステップＳ３）をコンピュータに更に実現させ、ラベルイメージＬ１１を複製する上記機能では、ラベルイメージ作成画面５０に表示されるラベルイメージＬ１１の数が複製数に達していないと判定されたときに、不足数のラベルイメージＬ１２〜Ｌ１５に複製する（ステップＳ４，Ｓ５）。これにより、既に複数のラベルイメージがラベルイメージ作成画面５０に表示されている場合に、必要な数のラベルイメージを作成することができるため、ユーザは、複数のラベルイメージＬ１１〜Ｌ１５の作成操作をより一層容易に行うことができる。
【００６５】
以上、本発明の実施の形態を説明したが、本願発明は特許請求の範囲に記載された発明とその均等の範囲を含む。以下に、本願の出願当初の特許請求の範囲に記載された発明を付記する。
【００６６】
［付記１］
略同じ大きさの複数のラベルにそれぞれ印刷される複数のラベルイメージを作成するための作成画面を表示部に表示させる機能と、
前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する機能と、
をコンピュータに実現させることを特徴とするプログラム。
【００６７】
［付記２］
前記パーツを複製する前記機能では、ユーザによって選択されたパーツに対応するパーツを有さないラベルイメージの対応する座標位置に、前記選択されたパーツを複製する、
ことを特徴とする付記１記載のプログラム。
【００６８】
［付記３］
前記選択されたパーツを複製する前記機能では、前記選択されたパーツである第１のパーツと共通の第１のラベルイメージに有される第２のパーツに対応するパーツを有する第２のラベルイメージにおいて、前記第１のパーツに対応するパーツを有さない第２のラベルイメージに対しては、当該第２のラベルイメージの対応する座標位置に、前記第１のパーツと前記第２のパーツとの前面への表示優先順位を、前記第２のパーツに対応するパーツとの間で再現するように、前記第１のパーツを複製する、
ことを特徴とする付記２記載のプログラム。
【００６９】
［付記４］
前記ユーザによって前記パーツが選択されていない状態で前記複製設定を受け付けた場合に前記ラベルイメージを複製する機能を前記コンピュータに更に実現させる、
ことを特徴とする付記１から３のいずれか記載のプログラム。
【００７０】
［付記５］
前記ユーザからの前記ラベルイメージの複製数の設定を受け付けた場合に、前記作成画面に表示される前記ラベルイメージの数が前記複製数に達しているか判定する機能を前記コンピュータに更に実現させ、
前記ラベルイメージを複製する前記機能では、前記作成画面に表示される前記ラベルイメージの数が前記複製数に達していないと判定されたときに、不足数の前記ラベルイメージに複製する、
ことを特徴とする付記４記載のプログラム。
【００７１】
［付記６］
略同じ大きさの複数のラベルにそれぞれ印刷される複数のラベルイメージを作成するための作成画面を表示部に表示させ、
前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する、
ことを特徴とするラベルイメージ作成方法。
【００７２】
［付記７］
略同じ大きさの複数のラベルにそれぞれ印刷される複数のラベルイメージを作成するための作成画面を表示する表示部と、
前記複数のラベルイメージのうちのいずれか１つのラベルイメージを構成する少なくとも１つのパーツが選択された状態で、ユーザからの複製設定を受け付けることで、前記複数のラベルイメージのうちの他の少なくとも１つのラベルイメージの対応する座標位置に前記パーツを複製する制御部と、
を備えることを特徴とするラベルイメージ作成装置。
【符号の説明】
【００７３】
１・・・ラベルイメージ作成装置、２・・・ＣＰＵ、５・・・表示部、５０・・・ラベルイメージ作成画面、５３ａ・・・複製アイコン、５４・・・イメージ表示領域、１００・・・印刷装置、Ｌ１１〜Ｌ１５，Ｌ２１〜Ｌ２５，Ｌ３１〜Ｌ３５・・・ラベル、Ｐ１１−１〜Ｐ１５−２，Ｐ２１−１〜Ｐ２５−２，Ｐ３１−１〜Ｐ３５−２・・・パーツ
【図１】
2018005625.tif 000003
【図２】
2018005625.tif 000004
【図３】
2018005625.tif 000005
【図４】
2018005625.tif 000006
【図５】
2018005625.tif 000007
【図６】
2018005625.tif 000008
【図７】
2018005625.tif 000009
【図８】
2018005625.tif 000010
【図９】
2018005625.tif 000011
【図１０】
2018005625.tif 000012
【図１１】
2018005625.tif 000013
【図１２】
2018005625.tif 000014
【図１３】
2018005625.tif 000015
【図１４】
2018005625.tif 000016